(57)【要約】【課題】毛材のボリュームを確保でき、筒状の毛材の先端側を筒の外側へ開かせて、先窄まり現象を防止できる横巻きチャンネルブラシを提供する。【解決手段】金属製のチャンネル１２内に心線４を介して二つ折り状に毛材３を配し、毛材３を挟持するようにチャンネル開口部を内方へかしめて多数の毛材３を植設したチャンネルブラシ１１を形成し、チャンネルブラシ１１のチャンネル１２をその一側片１２ａが内側で他側片１２ｂが外側となるように少なくとも１回転半以上横巻き成形して横巻きチャンネルブラシ１を形成する。【選択図】図１
0003123774.tif 000002
【実用新案登録請求の範囲】
【請求項１】
金属製のチャンネル内に心線を介して二つ折り状に毛材を配し、該毛材を挟持するようにチャンネル開口部を内方へかしめて多数の毛材を植設したチャンネルブラシを形成し、
該チャンネルブラシのチャンネルをその一側片が内側で他側片が外側となるように少なくとも１回転半以上横巻き成形したことを特徴とする横巻きチャンネルブラシ。
【請求項２】
前記チャンネルの横巻き成形が螺旋状であることを特徴とする請求項１に記載の横巻きチャンネルブラシ。
【請求項３】
前記チャンネルの番手に対して二つ折りの毛材の径が太いことを特徴とする請求項１または２に記載の横巻きチャンネルブラシ。
【請求項４】
前記毛材が発泡剤と帯電防止剤を含有する合成樹脂製の押し出し成型毛材であることを特徴とする請求項１から３のいずれかに記載の横巻きチャンネルブラシ。
【請求項５】
前記毛材の先端部が先割れしていることを特徴とする請求項１から４のいずれかに記載の横巻きチャンネルブラシ。
【考案の詳細な説明】
【技術分野】
【０００１】
本考案は、チャンネル内に心線を介して毛材を植設したチャンネルブラシを筒状に横巻き成形した横巻きチャンネルブラシに関する。
【背景技術】
【０００２】
一般に、金属製のチャンネル内に心線を介して横断面Ｕ字状に毛材を配し、チャンネル開口部をかしめて多数の毛材を植設したチャンネルブラシは知られている。
【０００３】
このチャンネルブラシは、チャンネルの成形の態様により数種類に大別される。例えば、チャンネルの底部が内側となるように螺旋状に成形して、毛材をロール状に外巻きに配した外巻きチャンネルブラシ（例えば、特許文献１および２参照）、チャンネルの底部が外側となるように螺旋状に成形して、毛材を内巻きに配した内巻きチャンネルブラシ、およびチャンネルの一側片が内側で他側片が外側となるようにリング成形して、毛材を筒状に横巻きにして配した横巻きチャンネルブラシなどが知られている。
【０００４】
【特許文献１】特開平８−３８２５５号公報
【特許文献２】実用新案登録第３０９９７１８号公報
【考案の開示】
【考案が解決しようとする課題】
【０００５】
ところで、特許文献１および２は、一般にロールブラシと称されている外巻きチャンネルブラシに関するものであり、金属平面等の清掃や洗浄等に用いられている。
【０００６】
しかし、吸引ノズルの先端部に取り付けて吸引ブラシとして用いたり、エアーガンの先端部に取り付けてブローブラシとして用いるには、ロールブラシよりも毛材が筒状に配された横巻きチャンネルブラシの方が適している。
【０００７】
しかしながら、この横巻きチャンネルブラシは、チャンネルの一側片が内側で他側片が外側となるようにリング成形するので、毛材のボリュームが少なくなり易いという問題があった。また、チャンネルや毛材等の組み合わせによって筒状の毛材の先端側が筒の内側へ倒れて先窄まり現象が生じるという問題があった。
【０００８】
本考案は、このような従来の問題点に鑑みてなされたもので、毛材のボリュームを確保することができ、筒状の毛材の先端側を筒の外側へ開かせて、先窄まり現象を防止することができる横巻きチャンネルブラシを提供することを目的とする。
【課題を解決するための手段】
【０００９】
このために本考案は、金属製のチャンネル内に心線を介して二つ折り状に毛材を配し、該毛材を挟持するようにチャンネル開口部を内方へかしめて多数の毛材を植設したチャンネルブラシを形成し、
該チャンネルブラシのチャンネルをその一側片が内側で他側片が外側となるように少なくとも１回転半以上横巻き成形したことを特徴とする横巻きチャンネルブラシを提供するものである。
【００１０】
上記本考案は、前記チャンネルの横巻き成型が螺旋状であること、
前記チャンネルの番手に対して毛材の径が太いこと、
前記毛材が発泡剤と帯電防止剤を含有する合成樹脂製の押し出し成型毛材であること、
前記毛材の先端部が先割れしていること、
を好ましい態様として含むものである。
【考案の効果】
【００１１】
本考案に係る横巻きチャンネルブラシによれば、チャンネルブラシのチャンネルをその一側片が内側で他側片が外側となるように少なくとも１回転半以上横巻き成形したので、巻きが重なる部分において毛材のボリュームを確保することができ、筒状の毛材の先端側を筒の外側へ開かせて、先窄まり現象を防止することができる。
【００１２】
また、チャンネルを螺旋状に成形することにより、容易に１回転半以上の横巻き成形が行えるので、巻きを重ねて毛材のボリュームを確保することができ、筒状の毛材の先端側を筒の外側へ開かせることができる。
【００１３】
さらに、チャンネルの番手に対して毛材の径を太くすることにより、筒状の毛材の先端側を確実に筒の外側へ開かせることができる。
【００１４】
前記毛材が発泡剤と帯電防止剤を含有する合成樹脂製の押し出し成型毛材であるので、毛材の腰が強く、軽くて耐衝撃性を有し、被処理物に傷が付きにくく、また静電気の発生を防止することができる。
【００１５】
前記毛材の先端部が先割れしているので、根元部分の腰が強く、毛先が柔軟で埃を掻き出し易いブラシを形成することができる。
【考案を実施するための最良の形態】
【００１６】
以下、本考案の実施の形態を図面に基づいて説明するが、本考案は本実施形態に限られない。
【００１７】
図１は本実施形態の横巻きチャンネルブラシの外観を示す斜視図である。図２は毛材の先端部の先割れ形状を示す概略図である。図３は直状のチャンネルブラシを示す側面図、図４は直状のチャンネルブラシの製造工程を示す概略図である。図５はチャンネルを螺旋状に横巻き成形した状態の概略図である。図６は本実施形態の横巻きチャンネルブラシの使用例を示す斜視図である。図７はチャンネルをリング状に１回転のみ横巻き成形した場合の横巻きチャンネルブラシの外観を示す斜視図である。なお、実際の毛材３の形状は図３に示したものに近い様相を呈しているが、その他の図面では図示の便宜上から毛材３の形状を概略図示している。
【００１８】
図１に示す横巻きチャンネルブラシ１は、金属製のチャンネル１２と、該チャンネル１２内に植設された毛材３の束であるブラシ部１３と、からなっている。
【００１９】
チャンネル１２は、帯状金属部材を凹断面形状がＵ字状を呈するように成形した部材である（図４参照）。このチャンネル１２は、例えば、アルミニウム合金等の錆びにくく軽量で加工し易い金属材料により形成することが好ましいが、これに限定されるものではない。
【００２０】
毛材３は、天然毛材あるいは人工毛材に関わらず選択することができるが、例えば、ポリエチレン、ナイロン、ポリプロピレン等の合成樹脂製の毛材３が腰が強くて好ましい。特に、本実施形態では、発泡剤と帯電防止剤を含有するポリエチレン製の押し出し成型毛材を採用している。このポリエチレン製の押し出し成型毛材は発泡剤を含有するので、毛材３内に空気層を形成し易く、軽くて耐衝撃性を有し、被処理物に傷が付きにくい。加えて、このポリエチレン製の押し出し成型毛材は帯電防止剤を含有するので、静電気の発生を防止して被処理物が金属製品である場合にもスパークの発生を抑制することができる。
【００２１】
帯電防止剤を含有する毛材３としては、例えば、カーボンを６ナイロンの表面上に剥離しないように均等にコティングしたものや、アクリル繊維に硫化銅を混入した導電性繊維などが挙げられるが、特にカーボンを混入した場合には毛材３の腰が強くなる。
【００２２】
この毛材３の先端部は、図２に示すような枝分かれ形状に先割れ３ａしており、この枝分かれ形状は押し出し成型により形成される。毛材３の先端部は枝分かれ形状に限定されるものではなく、十字形状等の他の先割れ形状であっても構わない。このように毛材３の先端部が先割れ３ａしているので、根元部分の腰が強く保ちながら、毛先が柔軟で埃を掻き出し易いブラシを形成することができる。
【００２３】
次に、図３および図４を用いて、本実施形態の横巻きチャンネルブラシの製造工程を説明する。
【００２４】
まず、図４を参照して、図３に示すような直状のチャンネルブラシ１１の製造工程について説明する。図４において、（ａ）に示すように、チャンネル１２となる帯状金属部材２上に、その幅方向に沿って所望本数の束の毛材３を配するとともに、毛材３の中央部に帯状金属部材２の長手方向に沿って心線４を配する。次に、（ｂ）および（ｃ）に示すように、心線４を上方から押さえた状態で、帯状金属部材２を徐々に横断面形状がＵ字状を呈するようにチャンネル成形する。そして、（ｄ）に示すように、心線４を介して二つ折り状態の毛材３を挟持するように、チャンネル１２の開口部を内方へかしめ加工する。最後に、（ｅ）に示すように、毛材３の先端部を切り揃えれば、図３に示すような多数の毛材を植設した直状のチャンネルブラシ１１が完成する。
【００２５】
次に、図５を参照して、直状のチャンネルブラシ１１の横巻き成形について説明する。直状のチャンネルブラシ１１の横巻き成形は、不図示の巻き芯材の周りにチャンネル１２の一側片１２ａが内側で他側片１２ｂが外側となるように、少なくとも１回転半以上巻き付けて横巻き成形する。図１および図５に示す横巻き成形は、螺旋状（コイル状）に２回転程度横巻き成形した状態を示すものである。このようにチャンネル１２を螺旋状に成形することにより、容易に１回転半以上の横巻き成形を行うことができる。そして、チャンネル同士の巻きが重なる部分においては植設した毛材３同士も重なり合うため、毛材３のボリュームを確保することができ、筒状の毛材３の先端側を筒の外側へ開かせて、先窄まり現象を防止することができる。特に、毛材３のボリュームを確保するためには、チャンネル１２を２回転以上横巻き成形することが好ましい。
【００２６】
チャンネル１２を１回転半以上横巻き成形するのは、少なくとも１回転半以上横巻き成形しなければ、図７に示すように、チャンネル１２をリング状に１回転のみ横巻き成形した横巻きチャンネルブラシ２１のように、二つ折りの内側の毛材３の先端側が内窄まりの現象が生じるからである。このようにチャンネル１２を少なくとも１回転半以上横巻き成形した場合に筒状の毛材３の先端側が筒の外側へ開く現象が生じる理由は明確ではないが、チャンネル１２の内側の一側片１２ａと外側の他側片１２ｂとの間に加工度の差異が増大してチャンネル１２の開口部が外側へ斜めに倒れ、また毛材３の重なり部分において内側に位置するチャンネル部分が外側の毛材３を支持するためであると推察される。
【００２７】
チャンネル１２を１回転半以上巻き付ける横巻き成形形状は、本実施形態のように螺旋状の横巻き成形に限定されるものではなく、例えば、渦巻き状の横巻き成形であっても構わない。
【００２８】
また、チャンネル１２の番手に対して二つ折りの毛材３の径が太いことが好ましい。チャンネル１２の番手に対して二つ折りの毛材の径が細いと、上記内窄まり現象が生じ易いからである。ここでチャンネル１２の番手は、チャンネル１２の側片部１２ａ、１２ｂの高さＨに応じて定められており、この高さＨが低くなると毛材３が筒の内側へ倒れ込み易く、毛材３の径が細くなると毛材３が筒の内側へ倒れ込み易くなる傾向がある。
【００２９】
図６は、本実施形態の横巻きチャンネルブラシ１を吸引ブラシとして用いる場合の使用例を示している。このように吸引ノズル１５を本実施形態の横巻きチャンネルブラシ１のコイル状のチャンネル１２内に挿入することにより、吸引ブラシとして使用することができる。吸引ブラシとして用いる場合には、ブラシで掻き出した被処理物の埃を吸引ノズル１５により吸い取るが、毛丈が長いと吸引ノズル１５内に毛材３が吸い込まれるので、毛丈は５０ｍｍ程度であることが好ましい。
【００３０】
なお、不図示のエアーガンの先端部に本実施形態の横巻きチャンネルブラシ１を取り付けてブローブラシとして使用する場合には、エアーガンで被処理物をブローした後ブラシで埃を掃くことができる。
【００３１】
以上説明したように、本実施形態の横巻きチャンネルブラシ１によれば、直状のチャンネルブラシ１１のチャンネル１２をその一側片１２ａが内側で他側片１２ｂが外側となるように少なくとも１回転半以上螺旋状の横巻き成形したので、チャンネル同士の巻きが重なる部分において毛材３のボリュームを確保することができ、筒状の毛材３の先端側を筒の外側へ開かせて、先窄まり現象を防止することができるものである。
【図面の簡単な説明】
【００３２】
【図１】本実施形態の横巻きチャンネルブラシの外観を示す概略図である。
【図２】毛材の先端部の先割れ形状を示す概略図である。
【図３】直状のチャンネルブラシを示す側面図である。
【図４】直状のチャンネルブラシの製造工程を示す概略図である。
【図５】チャンネルを螺旋状に横巻き成形した状態を示す概略図である。
【図６】本実施形態の横巻きチャンネルブラシの使用例を示す斜視図である。
【図７】チャンネルをリング状に１回転のみ横巻き成形した場合の横巻きチャンネルブラシの外観を示す斜視図である。
【符号の説明】
【００３３】
１  横巻きチャンネルブラシ
２  帯状金属部材
３  毛材
３ａ  先割れ
４  心線
１１  直状のチャンネルブラシ
１２  チャンネル
１２ａ、１２ｂ  側片部
１３  ブラシ部
１５  吸引ノズル
【図１】
0003123774.tif 000003
【図２】
0003123774.tif 000004
【図３】
0003123774.tif 000005
【図４】
0003123774.tif 000006
【図５】
0003123774.tif 000007
【図６】
0003123774.tif 000008
【図７】
0003123774.tif 000009